(57)【要約】      （修正有）【課題】地震などの振動により転倒することがなく、破損し難い石碑を提供する。【解決手段】第一石材３，第二石材５，および第三石材７が順に積み上げられて構成される。第一石材３の上面には凹部１１が形成されており、凹部１１には溝１９が形成されている。第二石材５は、下端部に凹部２７が形成されている。凹部２７には、溝３７が形成されている。第二石材５の下端部の周縁５ａは、円弧状面に形成されている。第一石材３と第二石材５の間に第一接続部材４１が設けられる。第一接続部材４１には、上下に離隔して第一係止部材４５が２本設けられる。第一係止部材４５，４５が取り付けられた第一接続部材４１は、その下端部が第一石材３の凹部１１にはめ込まれ、上端部が第二石材５の下側の凹部２７にはめ込まれる。下側の第一係止部材４５は、第一石材１１の溝１９にはめ込まれ、上側の第一係止部材４５は、第二石材５の溝３７にはめ込まれる。【選択図】図６
0003181069.tif 000002
【実用新案登録請求の範囲】
【請求項１】
上部に凹部が形成された下側石材と、
この下側石材に載せ置かれ、下部に凹部が形成された上側石材と、
前記下側石材と前記上側石材との間に配置され、前記下側石材の前記凹部に下部がはめ込まれ、前記上側石材の前記凹部に上部がはめ込まれる接続部材と
を備えることを特徴とする石碑。
【請求項２】
前記上側石材は、前記下側石材の上面に配置される下端部の周縁の角部が、円弧状面に形成されている
ことを特徴とする請求項１に記載の石碑。
【請求項３】
前記接続部材は、円柱形状とされ、
前記接続部材には、２本の円柱状の係止部材が径方向外側へ突出して設けられ、
前記係止部材のうち、下側の係止部材が、前記下側石材の前記凹部の外周部に形成された溝にはめ込まれ、上側の係止部材が、前記上側石材の前記凹部の外周部に形成された溝にはめ込まれる
ことを特徴とする請求項１または請求項２に記載の石碑。
【請求項４】
前記上側石材および前記下側石材は、平面視正方形状とされ、
前記溝は、前記上側石材または前記下側石材の対角線上に形成される
ことを特徴とする請求項１から請求項３までのいずれかに記載の石碑。
【考案の詳細な説明】
【技術分野】
【０００１】
本考案は、石碑に関するものであり、特に墓石に関するものである。
【背景技術】
【０００２】
従来、石碑は、１つの石材により構成されていたり、２つ以上の石材を積み上げて構成されたりしている。そして、石材を２つ以上積み上げて構成する場合、地震などの振動で上段の石材が倒れることがある。
【０００３】
そこで、下側の石材と上側の石材を接着剤で固定したり、ボルトや金具により固定したりすることで、石材の転倒を防止することが行われている。
【考案の概要】
【考案が解決しようとする課題】
【０００４】
しかしながら、接着剤により石材同士を固定する場合、年数が経過すると接着力が弱まり、上側の石材が転倒するおそれがある。
また、ボルトや金具などで石材同士を固定する場合、加工が複雑となってしまっていた。さらに、戒名を追加する場合に、石材を取り外すことが困難であった。
【０００５】
本考案が解決しようとする課題は、地震などによる振動で転倒することがなく、かつ、破損し難い石碑を提供することにある。
【課題を解決するための手段】
【０００６】
本考案は、前記課題を解決するためになされたもので、請求項１に記載の考案は、上部に凹部が形成された下側石材と、この下側石材に載せ置かれ、下部に凹部が形成された上側石材と、前記下側石材と前記上側石材との間に配置され、前記下側石材の前記凹部に下部がはめ込まれ、前記上側石材の前記凹部に上部がはめ込まれる接続部材とを備えることを特徴とする石碑である。
【０００７】
請求項２に記載の考案は、前記上側石材は、前記下側石材の上面に配置される下端部の周縁の角部が、円弧状面に形成されていることを特徴とする請求項１に記載の石碑である。
【０００８】
請求項３に記載の考案は、前記接続部材は、円柱形状とされ、前記接続部材には、２本の円柱状の係止部材が径方向外側へ突出して設けられ、前記係止部材のうち、下側の係止部材が、前記下側石材の前記凹部の外周部に形成された溝にはめ込まれ、上側の係止部材が、前記上側石材の前記凹部の外周部に形成された溝にはめ込まれることを特徴とする請求項１または請求項２に記載の石碑である。
【０００９】
さらに、請求項４に記載の考案は、前記上側石材および前記下側石材は、平面視正方形状とされ、前記溝は、前記上側石材または前記下側石材の対角線上に形成されることを特徴とする請求項１から請求項３までのいずれかに記載の石碑である。
【考案の効果】
【００１０】
本考案によれば、地震などの振動で転倒することがなく、かつ、破損し難い石碑を提供できる。
【図面の簡単な説明】
【００１１】
【図１】本考案の石碑の一実施例を示す斜視図である。
【図２】図１の石碑を上方から見た分解斜視図である。
【図３】図１の石碑を下方から見た分解斜視図である。
【図４】図１の石碑を正面から見た断面図である。
【図５】図４のＡ−Ａ断面図である。
【図６】図５のＢ−Ｂ断面図である。
【考案を実施するための形態】
【００１２】
以下、本考案の石碑の一実施例について図面に基づいて具体的に説明する。
【００１３】
図１は、本考案の石碑の一実施例を示す斜視図である。
本実施例の石碑１は、３つの石材３，５，７が順に積み上げられて構成される墓石とされる。
【００１４】
図２及び図３は、本実施例の石碑の分解斜視図であり、図２は上方から、図３は下方から見た状態を示している。図４は、本実施例の石碑を正面から見た断面図である。
また、図５は、図４のＡ−Ａ断面図であり、図６は、図５のＢ−Ｂ断面図である。
【００１５】
最下段の第一石材３は、平面視正方形状の石材とされ、その上面には下方へ凹んで、上方へ開口する凹部１１が形成されている。
【００１６】
第一石材３の上端部は、上方へ行くに従って内側に傾斜する傾斜面１３に形成され、上面１５は、水平面に形成されている。
傾斜面１３は湾曲した形状とされ、水平な上面１５と傾斜面１３の境界部１３ａは円弧面に形成されている。
水平な上面１５の中央部に断面円形の凹部１１が形成されている。
【００１７】
この凹部１１の外周部の一部には、径方向外側へ突出して断面矩形状の溝１９が、軸方向に沿って形成されている。本実施例では、溝１９は、平面視において第一石材３の対角線上に形成されている。
【００１８】
第一石材３の正面中央部には、奥側へ向けて空洞部２１が形成されており、この空洞部２１は下方へも開口している。
【００１９】
第二石材５は、平面視正方形状の石材とされ、その上端面には、下方へ凹んで、上方へ開口する凹部２５が形成され、下端部には、上方へ凹んで、下方へ開口する凹部２７が形成されている。
第二石材５は、第一石材３より横寸法が小さく形成されている。
【００２０】
第二石材５の上端部は、上方へ行くに従って内側に傾斜する傾斜面３１に形成され、上面３３は、水平面に形成されている。
傾斜面３１は湾曲した形状とされ、水平な上面３３と傾斜面３１の境界部３１ａは円弧面に形成されている。
水平な上面３３の中央部に円形状の凹部２５が形成されている。
【００２１】
凹部２５の外周部の一部には、径方向外側へ突出して断面矩形状の溝３５が、軸方向に沿って形成されている。
【００２２】
第二石材５の下端面中央部に形成される凹部２７は、断面円形状とされる。
凹部２７の外周部の一部には、径方向外側へ突出して断面矩形状の溝３７が、軸方向に沿って形成されている。
【００２３】
各溝３５，３７は、平面視において、第二石材５の対角線上に形成されている。
また、第一石材３の凹部１１と、第二石材５の下側の凹部２７は、同じ直径とされ、第一石材３に第二石材５が載せ置かれた状態において、各凹部１１，２７および各溝１９，３７は、同一直線上に配置される。
【００２４】
第二石材５の下端部の周縁５ａは、円弧状面に形成されている。
この第二石材５の下端部周縁５ａの円弧状部の半径Ｒ１は、１ｃｍ〜４ｃｍとされ、好ましくは、１．５ｃｍ〜３ｃｍとされる。
【００２５】
第二石材５は、第一石材３に載せ置かれて設けられる。
この際、第一石材３の凹部１１と、第二石材５の下側の凹部２７に第一接続部材４１がはめ込まれる。
【００２６】
第一接続部材４１は、円柱形状とされ、第一石材３の凹部１１および第二石材５の凹部２７に対応した外径とされる。
第一接続部材４１の周側面には、上下に離隔して、断面円形状の穴４３が２つ形成されている。
各穴４３には、円柱状の第一係止部材４５の一端部がはめ込まれる。第一係止部材４５は、第一石材３の溝１９および第二石材５の溝３７に対応した外径とされる。
各穴４３は、第一接続部材４５の上下端部に出来るだけ近い位置に形成される。
【００２７】
第一係止部材４５，４５が取り付けられた第一接続部材４１は、その下端部が第一石材３の凹部１１にはめ込まれる。
この際、下側の第一係止部材４５の他端部が、第一石材３の溝１９にはめ込まれる。
【００２８】
第一石材３に第一接続部材４１が取り付けられた状態で、第二石材５が第一石材３に載せ置かれる。
この際、第二石材５の下側の凹部２７に、第一接続部材４１の上端部がはめ込まれ、上側の第一係止部材４５の他端部が、第二石材５の溝３７にはめ込まれる。
【００２９】
第二石材５に載せ置かれる第三石材（棹石）７は、平面視正方形状とされる一方、上下に長い石材とされる。
第三石材７は、その下端部の周縁７ａは、円弧状面に形成されている。
この第三石材７の下端部周縁７ａの円弧状の半径Ｒ２は、１ｃｍ〜４ｃｍとされ、好ましくは、１．５ｃｍ〜３ｃｍとされる。
【００３０】
また、第三石材７の下端面中央部には、上方へ凹んで、下方へ開口する断面円形状の凹部５１が形成されている。
【００３１】
凹部５１の外周部の一部には、径方向外側へ突出して、断面矩形状の溝５３が、軸方向に沿って形成されている。
【００３２】
第三石材７の凹部５１と、第二石材５の凹部２５は、同じ直径とされる。
【００３３】
第三石材７は、第二石材５に載せ置かれて設けられる。
この際、第一石材３と第二石材５の場合と同様、第二石材５の上側の凹部２５と、第三石材７の凹部５１に円柱形状の第二接続部材５５がはめ込まれる。
【００３４】
第二接続部材５５は、円柱形状とされ、その周側面には、上下に離隔して、断面円形状の穴５７が２つ形成されている。各穴５７には、円柱状の第二係止部材５９の一端部がはめ込まれる。第二係止部材５９は、第二石材５の溝３５および第三石材７の溝５３に対応した外径とされる。
【００３５】
第二係止部材５９が取り付けられた第二接続部材５５は、その下端部が第二石材５の凹部２５にはめ込まれる。
この際、下側の第二係止部材５９の他端部が、第二石材５の溝３５にはめ込まれる。
【００３６】
第二石材５９に第二接続部材５５が取り付けられた状態で、第三石材７が第二石材５に載せ置かれる。
この際、第三石材７の凹部５１に第二接続部材５５の上端部がはめ込まれ、上側の第二係止部材５９の他端部が、第三石材７の溝５３にはめ込まれる。
【００３７】
このように、第一石材３、第二石材５および第三石材７が順に積み重ねられて石碑１が構成される。
本実施例では、各石材３，５，７同士が接続部材４１，５５により一体化されることで、地震などの振動による各石材３，５，７の転倒を防止できる。
また、係止部材４５，５９により各石材３，５，７が回転することもない。
【００３８】
また、本実施例では、第二石材５の下端部周縁５ａは、円弧状面に形成されている。
これにより、地震などの振動で第二石材５が揺れ動き、その下端部周縁５ａが第一石材３の上面に当接したとしても、円弧状面５ａが第一石材３の上面に当接することになり、破損するおそれがない。
つまり、第二石材５の下端部外周には、鋭角な角部が存在せず、第一石材３に対して揺動したとしても、第二石材５が破損するおそれがない。
【００３９】
さらに、本実施例では、第三石材７の下端部周縁７ａは、円弧状面に形成されている。
これにより、地震などの振動で第三石材７が揺れ動き、第三石材７の下端部周縁７ａが第二石材５の上面に当接したとしても、円弧状面７ａが第二石材５の上面に当接することになり、破損するおそれがない。
【００４０】
このように本実施例の石碑１によれば、地震などの振動で石碑１を構成する各石材３，５，７が転倒するおそれがない。
また、地震などの振動により、下側の石材３，５に対して、上側の石材５，７が揺動したとしても、上側の石材５，７は、外部から視認される箇所が破損し難い。
【００４１】
また、本実施例の石碑１は、石材だけで構成されるため、半永久的に転倒防止や破損防止の機能を持続させることが可能である。
【００４２】
また、本実施例では、各石材３，５，７に、円形の凹部１１，２５，２７，５１を形成し、円柱状の接続部材４１，５５をはめ込む構成とし、各接続部材４１，５５に取り付けられる係止部材４５，５９は円柱状とされている。
これら各石材３，５，７の凹部１１，２５，２７，５１、接続部材４１，５５および係止部材４５，５９は、コアカッターや旋盤により加工することができ、製作が容易とされる。
【００４３】
さらに、本実施例では、各溝１９，３５，３７，５３は、各石材３，５，７の対角線上に形成されている。これにより、溝１９，３５，３７，５３を形成する際に、位置決めが行い易く、形成し易い。
【００４４】
本考案の石碑は、上記実施例の構成に限らず、適宜変更可能である。
たとえば、各石材３，５，７の形状は、適宜変更可能である。
また、上記実施例では、３つの石材３，５，７により石碑を構成したが、２つまたは４つ以上の石材を積み重ねて石碑を構成してもよい。
【符号の説明】
【００４５】
１    石碑
３    第一石材
５    第二石材
５ａ  円弧状面
７    第三石材
１１  凹部
２５  凹部
２７  凹部
４１  第一接続部材
４５  第一係止部材
【図１】
0003181069.tif 000003
【図２】
0003181069.tif 000004
【図３】
0003181069.tif 000005
【図４】
0003181069.tif 000006
【図５】
0003181069.tif 000007
【図６】
0003181069.tif 000008